(57)【要約】【課題】  保守点検などの際、作業員が機器を見易くするとともに、作業をし易くする。【解決手段】  建設機械１の燃料タンク１０の開閉カバー７は、建設機械１の一方の側面に設けられ、垂直なピン９ａによって枢支されて、横方向に開閉可能な燃料タンク１０の開閉カバー７であって、該開閉カバー７の内面には、燃料タンク１０が一体に取り付けられていて、カバー７を開くと燃料タンク１０がカバー７と一体的に移動して、燃料タンク１０の内側の機器の保守点検が可能になっている。【選択図】          図２
2006299515.tif 000002
【特許請求の範囲】
【請求項１】
建設機械の一方の側面に設けられ、垂直なピンによって枢支されて、横方向に開閉可能な燃料タンクの開閉カバーであって、該開閉カバーの内面には、燃料タンクが一体に取り付けられていて、カバーを開くと燃料タンクがカバーと一体的に移動して、燃料タンクの内側の機器の保守点検が可能になっていることを特徴とする建設機械の燃料タンクの開閉カバー。
【請求項２】
上記燃料タンクには、上面に給油口を有しており、上記燃料タンクの開閉カバーには、燃料タンクの給油口に対応する位置に小開閉カバーが開閉可能に取り付けられている請求項１記載の建設機械の燃料タンクの開閉カバー。
【発明の詳細な説明】
【技術分野】
【０００１】
本発明は、建設機械（油圧ショベル）の燃料タンクの開閉カバーに関するものである。
【背景技術】
【０００２】
図５は特許文献１に開示された建設機械（油圧ショベル）の側面図である。図５において、ａはクローラ式の走行体、ｂは旋回台軸受、ｃは上部旋回体、ｄはブーム、ｅはアーム、ｆはバケット、ｇはキャノピである。上部旋回体ｃは、旋回フレーム上にエンジン等を載せ、それを上部外殻ｈと下部外殻ｉで覆って形成している。
【０００３】
図６は同じ特許文献１に開示された燃料タンクの開閉カバーの側面図で、開閉カバーを開いた状態を示している。図６において、ｊは燃料タンクである。ｋは燃料タンクｊの開閉カバーである。開閉カバーｋの一端には、ヒンジｐ１を有する平らな台ｐが設けられている。平らな台ｐは、開いた状態でストッパによって、ほぼ水平になっていて、その上に給油する際にポリタンクを仮置きできるようになっている。ｑはロッドである。
【０００４】
【特許文献１】特願２００３−３４８７０８（未公開）
【０００５】
建設機械（油圧ショベル）のエンジンは、通常、ディーゼルエンジンが使用され、エンジンに軽油を供給するために、燃料タンクが設けられている。
【０００６】
燃料タンクの給油口は、外部に露出しているものもあるが、通常は燃料タンクは開閉カバーによって覆われており、給油するときはその開閉カバーを開き、給油口のキャップを外して給油する。
【０００７】
図７は他の燃料タンクの開閉カバーの斜視図で、開閉カバーを開いた状態を示している。図７において、燃料タンクｊは、建設機械（油圧ショベル）の上部旋回体ｃの前方の一方の側面の内部に、図示しないボルトによって固定されている。燃料タンクｊは、通常、強度的な役割はなく、給油ホースがエンジンに接続されているだけである。ｋは燃料タンクｊの開閉カバーである。開閉カバーｋの下端部は、下部外殻ｉの前方の上端に、横方向のピン（ヒンジ）ｏによって枢支されて上下方向に開閉可能になっている。ｍは燃料タンクｊの上面に設けた給油口、ｎはそのキャップである。
【０００８】
燃料タンクｊへの給油は、作業員が開閉カバーｋを下方に開き、給油口ｍのキャップｎを取り外し、別途用意した燃料（軽油）の入ったポリタンクを持ち上げて傾けながら行ない、給油後は給油口ｍにキャップｎを取り付け、開閉カバーｋを閉める。
【発明の開示】
【発明が解決しようとする課題】
【０００９】
燃料タンクｊの内側の建設機械の内部には、図示しない旋回モーターや配管類が多数配設されているが、それら機器の保守点検をするときやオーバーホールなどで機器を交換するときなどには、作業員が狭い内部を覗き込んだり狭い場所に手を伸ばして作業をしなければならない。また、場合によっては開閉カバーｋや燃料タンクｊを取り外し、機械内部を開放してから作業をしなければならず、作業効率が悪く、メンテナンス費用が嵩む。
【００１０】
本発明は、従来技術のかかる問題点に鑑み案出されたものであり、機器の保守点検をするときや機器を交換するときなど、開閉カバーを開くと同時に燃料タンクも一体的に移動して機械内部を開放することによって、作業員が機器を見易くするとともに、作業をし易くして、メンテナンス費用を安くすることができる建設機械の燃料タンクの開閉カバーを提供することを目的とする。
【課題を解決するための手段】
【００１１】
上記目的を達成するため、本発明の建設機械の燃料タンクの開閉カバーは、建設機械の一方の側面に設けられ、垂直なピンによって枢支されて、横方向に開閉可能な燃料タンクの開閉カバーであって、該開閉カバーの内面には、燃料タンクが一体に取り付けられていて、カバーを開くと燃料タンクがカバーと一体的に移動して、燃料タンクの内側の機器の保守点検が可能になっているものである。
【００１２】
上記燃料タンクには、上面に給油口を有しており、上記燃料タンクの開閉カバーには、燃料タンクの給油口に対応する位置に小開閉カバーが開閉可能に取り付けられているのが好ましい。
【００１３】
次に本発明の作用を説明する。通常、燃料タンクに燃料を供給するときは、開閉カバーの上面に設けられている小開閉カバーを開き、給油口のキャップを取り外して行ない、給油後は給油口にキャップを取り付け、小開閉カバーを閉める。一方、燃料タンクの内側の機器の保守点検をするときや機器の交換をするときなどには、開閉カバーを開き、燃料タンクを開閉カバーと一体的に移動させて機械内部を開放させることによって、作業員が機器を見易くするとともに、作業をし易くする。
【発明の効果】
【００１４】
本発明の建設機械の燃料タンクの開閉カバーは、機器の保守点検をするときや機器を交換するとき、燃料タンクの開閉カバーを開き、燃料タンクを開閉カバーと一体的に横方向に移動させて機械内部を開放させるので、作業員が機械内部を見易くなり、機器の保守点検や機器の交換作業が容易になり、メンテナンス費用を安くすることができる。
【発明を実施するための最良の形態】
【００１５】
以下、本発明の一実施形態について図面を参照しつつ説明する。
【００１６】
図１は本発明の建設機械（油圧ショベル）の側面図で、ブームを取り外した状態を示している。図２は本発明の建設機械の燃料タンクの開閉カバーの斜視図である。図３は燃料タンクの開閉カバーを開いた状態の斜視図である。図４は燃料タンクの開閉カバーを取り外した状態を示す斜視図である。図１ないし図４において、１は建設機械（油圧ショベル）である。２はクローラ式の走行体である。３は上部旋回体で、４は旋回台軸受である。上部旋回体３には、図示しないエンジン等が載せられており、その外側は下部外殻５および上部外殻６で覆われている。
【００１７】
７は燃料タンク１０の開閉カバーである。開閉カバー７は、建設機械１の前方に向かって右方向の側面に設けられている。９は開閉カバー７を枢支するヒンジである。開閉カバー７は、上部外殻６にヒンジ９の垂直ピン９ａによって横方向に開閉可能に取り付けられている。９ｂは割りピンで、開閉カバー７を上部外殻６に垂直ピン９ａで取り付けた後、垂直ピン９ａがヒンジ９から抜けないように垂直ピン９ａの下端部に横方から差し込んで先端を拡げる。
【００１８】
８は開閉カバー７の上面に設けた小開閉カバーで、ヒンジ８ａによって上下方向に開閉可能に枢支されている。燃料タンク１０に給油するときは、この小開閉カバー８を開閉して、その下方部に設けられている燃料タンク１０に給油する。
【００１９】
燃料タンク１０は、開閉カバー７の内面に一体に取り付けられており、開閉カバー７を開くと一体的に横方向に移動する。１０ａは燃料タンク１０の上面に設けた給油口、１０ｂはそのキャップである。
【００２０】
１１は上部外殻６の内部に設けられた作動油タンク、１１ａは作動油タンク１１の上面に設けた給油口のキャップである。１２は上部旋回体３を旋回する旋回モータ、１３はブーム旋回用油圧シリンダである。
【００２１】
次に本発明の実施形態の作用を説明する。通常、燃料タンク１０に燃料を供給するときは、開閉カバー７に設けられている小開閉カバー８を開き、給油口１０ａのキャップ１０ｂを取り外して行ない、給油後は給油口１０ａにキャップ１０ｂを取り付け、小開閉カバー８を閉める。一方、燃料タンク１０の内側の機器の保守点検をするときや機器の交換をするときなどには、開閉カバー７を開き、燃料タンク１０を開閉カバー７と一体的に横方向に移動させて機械内部を開放させることによって、作業員が機器を見易くするとともに、作業をし易くする。
【００２２】
本発明は、以上述べた実施例に限定されるものではなく、本発明の要旨を逸脱しない範囲で種々の変更が可能である。たとえば、燃料タンクの給油口を燃料タンクの内側側面から張り出して設ければ、小開閉カバーを無くしても燃料タンクのカバーを開くことにより、給油できる。また、燃料タンクの給油口を、燃料タンクのカバーを貫通して外側に出すようにしてもよい。
【図面の簡単な説明】
【００２３】
【図１】本発明の建設機械（油圧ショベル）の側面図で、ブームを取り外した状態を示している。
【図２】本発明の建設機械の燃料タンクの開閉カバーの斜視図である。
【図３】燃料タンクの開閉カバーを開いた状態の斜視図である。
【図４】燃料タンクの開閉カバーを取り外した状態を示す斜視図である。
【図５】特許文献１に開示された建設機械（油圧ショベル）の側面図である。
【図６】特許文献１に開示された燃料タンクの開閉カバーの側面図で、開閉カバーを開いた状態を示している。
【図７】他の燃料タンクの開閉カバーの斜視図で、開閉カバーを開いた状態を示している。
【符号の説明】
【００２４】
１      建設機械（油圧ショベル）
２      クローラ式走行体
３      上部旋回体
４      旋回台軸受
５      下部外殻
６      上部外殻
７      燃料タンクの開閉カバー
８      小開閉カバー
８ａ      ヒンジ
９      ヒンジ
９ａ      垂直ピン
１０    燃料タンク
１０ａ    給油口
１０ｂ    キャップ
１１    作動油タンク
１１ａ    キャップ
【図１】
2006299515.tif 000003
【図２】
2006299515.tif 000004
【図３】
2006299515.tif 000005
【図４】
2006299515.tif 000006
【図５】
2006299515.tif 000007
【図６】
2006299515.tif 000008
【図７】
2006299515.tif 000009